(57)【要約】【課題】印刷された情報の視認性を高めることができる画像形成装置を得る。【解決手段】本発明の画像形成装置は、第１の画像データに基づいて、第１の画像を形成する第１の画像形成部と、第２の画像データに基づいて、発光可能な第２の画像を形成する第２の画像形成部と、印刷データに基づいて第１の画像データを生成するとともに、第２の画像を前記第１の画像の少なくとも一部に重ね合わせるように第２の画像データを生成する生成部とを備える。【選択図】図３
2017080943.tif 000002
【特許請求の範囲】
【請求項１】
第１の画像データに基づいて、第１の画像を形成する第１の画像形成部と、
第２の画像データに基づいて、発光可能な第２の画像を形成する第２の画像形成部と、
印刷データに基づいて前記第１の画像データを生成するとともに、前記第２の画像を前記第１の画像の少なくとも一部に重ね合わせるように前記第２の画像データを生成する生成部と
を備えた画像形成装置。
【請求項２】
前記生成部は、前記第２の画像を記録媒体における所定の位置に配置するように前記第２の画像データを生成する
請求項１に記載の画像形成装置。
【請求項３】
前記印刷データは、データ情報に基づいて生成されたものであり、
前記生成部は、前記印刷データに付された、前記データ情報の付加情報に基づいて、前記第２の画像データを生成する
請求項２に記載の画像形成装置。
【請求項４】
前記付加情報は、複数の付加情報を含み、
前記印刷データには、前記複数の付加情報に加え、前記複数の付加情報に対応する複数のタグが付されており、
前記生成部は、前記複数の付加情報および前記複数のタグに基づいて、前記第２の画像を生成する
請求項３に記載の画像形成装置。
【請求項５】
前記印刷データには、前記複数の付加情報をそれぞれ配置すべき位置を示す複数の位置情報が付されており、
前記生成部は、前記複数の位置情報にも基づいて、前記第２の画像を生成する
請求項４に記載の画像形成装置。
【請求項６】
前記所定の位置を設定する位置設定部をさらに備えた
請求項２から請求項４のいずれか一項に記載の画像形成装置。
【請求項７】
前記生成部は、前記第１の画像に含まれる１または複数の部分画像の配置位置に基づいて、前記第２の画像の配置位置を決定することにより、前記第２の画像データを生成する
請求項１に記載の画像形成装置。
【請求項８】
各部分画像は、ピクチャ種別、グラフィック種別、およびテキスト種別を含む複数の種別のいずれかに属し、
前記生成部は、各部分画像の配置位置および種別に基づいて、前記第２の画像の配置位置を決定する
請求項７に記載の画像形成装置。
【請求項９】
前記生成部は、前記印刷データに基づいて前記第２の画像データを生成する
請求項７または請求項８に記載の画像形成装置。
【請求項１０】
前記生成部は、前記１または複数の部分画像が、前記ピクチャ種別に属する１または複数の部分画像を含む場合には、前記ピクチャ種別に属する１または複数の部分画像のうちの第１の部分画像の配置位置に基づいて、前記第２の画像の配置位置を決定する
請求項８または請求項９のいずれか一項に記載の画像形成装置。
【請求項１１】
前記第１の部分画像は、前記ピクチャ種別に属する１または複数の部分画像のうちの、面積が一番大きな部分画像である
請求項１０に記載の画像形成装置。
【請求項１２】
前記生成部は、前記１または複数の部分画像が、前記ピクチャ種別に属する部分画像を含まず、前記グラフィック種別に属する１または複数の部分画像を含む場合には、前記グラフィック種別に属する１または複数の部分画像のうちの第２の部分画像の配置位置に基づいて、前記第２の画像の配置位置を決定する
請求項８から請求項１１のいずれか一項に記載の画像形成装置。
【請求項１３】
前記生成部は、前記１または複数の部分画像が、前記ピクチャ種別に属する部分画像、および前記グラフィック種別に属する部分画像を含まず、前記テキスト種別に属する１または複数の部分画像を含む場合には、前記テキスト種別に属する１または複数の部分画像のうちの第３の部分画像の配置位置に基づいて、前記第２の画像の配置位置を決定する
請求項８から請求項１２のいずれか一項に記載の画像形成装置。
【請求項１４】
前記第２の画像形成部は、発光トナーを用いて前記第２の画像を形成する
請求項１から請求項１３のいずれか一項に記載の画像形成装置。
【請求項１５】
第１の画像データに基づいて、第１の画像を形成する第１の画像形成部と、
第２の画像データに基づいて、発光可能な第２の画像を形成する第２の画像形成部と、
データ情報に基づいて生成された印刷データに基づいて前記第１の画像データを生成するとともに、前記印刷データに付された、前記データ情報の付加情報に基づいて前記第２の画像データを生成する生成部と
を備えた画像形成装置。
【請求項１６】
前記生成部は、前記第２の画像を前記記録媒体における所定の位置に配置するように前記第２の画像データを生成する
請求項１５に記載の画像形成装置。
【請求項１７】
データ情報に基づいて印刷データを生成するとともに、前記印刷データに、前記データ情報の付加情報を付する印刷データ生成部を備えた
情報処理装置。
【請求項１８】
前記付加情報は、複数の付加情報を含み、
前記印刷データ生成部は、前記複数の付加情報に基づいて、前記複数の付加情報に対応する複数のタグを生成し、前記印刷データに、前記複数のタグをさらに付する
請求項１７に記載の情報処理装置。
【請求項１９】
前記印刷データ生成部は、前記複数の付加情報に基づいて、前記複数の付加情報をそれぞれ配置すべき位置を示す複数の位置情報を生成し、前記印刷データに、前記複数の位置情報をさらに付する
請求項１８に記載の情報処理装置。
【請求項２０】
前記付加情報は、記録媒体において、発光可能な画像として形成されるべきものである
請求項１７から請求項１９のいずれか一項に記載の情報処理装置。
【請求項２１】
前記付加情報は、前記データ情報のプロパティ情報である
請求項１７から請求項２０のいずれか一項に記載の情報処理装置。
【発明の詳細な説明】
【技術分野】
【０００１】
本発明は、画像を形成する画像形成装置、およびそのような画像形成装置に対して印刷データを供給する情報処理装置に関する。
【背景技術】
【０００２】
ユーザは、ドキュメントなどのコンテンツを印刷する際、そのコンテンツに重ねて、例えばそのコンテンツの出所を示す文字や記号などを、いわゆるウォーターマークとして印刷したい場合がある。例えば、特許文献１には、ウォーターマークを、所定の位置に印刷する画像処理装置が開示されている。
【先行技術文献】
【特許文献】
【０００３】
【特許文献１】特開２００９−２５１８４７号公報
【発明の概要】
【発明が解決しようとする課題】
【０００４】
ところで、一般に、電子機器では、ユーザの利便性が高いことが望まれており、画像形成装置の分野においても、利便性の向上が期待されている。
【０００５】
本発明はかかる問題点に鑑みてなされたもので、その目的は、ユーザの利便性を高めることができる画像形成装置および情報処理装置を提供することにある。
【課題を解決するための手段】
【０００６】
本発明の第１の画像形成装置は、第１の画像形成部と、第２の画像形成部と、生成部とを備えている。第１の画像形成部は、第１の画像データに基づいて、第１の画像を形成するものである。第２の画像形成部は、第２の画像データに基づいて、発光可能な第２の画像を形成するものである。生成部は、印刷データに基づいて第１の画像データを生成するとともに、第２の画像を第１の画像の少なくとも一部に重ね合わせるように第２の画像データを生成するものである。
【０００７】
本発明の第２の画像形成装置は、第１の画像形成部と、第２の画像形成部と、生成部とを備えている。第１の画像形成部は、第１の画像データに基づいて、第１の画像を形成するものである。第２の画像形成部は、第２の画像データに基づいて、発光可能な第２の画像を形成するものである。生成部は、データ情報に基づいて生成された印刷データに基づいて第１の画像データを生成するとともに、印刷データに付された、データ情報の付加情報に基づいて第２の画像データを生成するものである。
【０００８】
本発明の情報処理装置は、印刷データ生成部を備えている。印刷データ生成部は、データ情報に基づいて印刷データを生成するとともに、印刷データに、データ情報の付加情報を付するものである。
【発明の効果】
【０００９】
本発明の第１の画像形成装置によれば、発光可能な第２の画像を第１の画像の少なくとも一部に重ね合わせるようにしたので、ユーザの利便性を高めることができる。
【００１０】
本発明の第２の画像形成装置によれば、印刷データに基づいて第１の画像データを生成するとともに、付加情報に基づいて第２の画像データを生成するようにしたので、ユーザの利便性を高めることができる。
【００１１】
本発明の情報処理装置によれば、データ情報に基づいて印刷データを生成するとともに、印刷データに、データ情報の付加情報を付するようにしたので、例えば、印刷データに基づいて第１の画像が形成され、付加情報に基づいて発光可能な第２の画像が形成されることにより、ユーザの利便性を高めることができる。
【図面の簡単な説明】
【００１２】
【図１】本発明の第１の実施の形態に係る画像形成装置の一構成例を表すブロック図である。
【図２】図１に示した現像部の一構成例を表す説明図である。
【図３】図１に示した画像形成装置における制御機構の一例を表すブロック図である。
【図４】図３に示したホストＰＣにおけるソフトウェア構成の一例を表す構成図である。
【図５】図４に示したプロパティ情報取得部の一動作例を表す表である。
【図６】図４に示したプロパティ情報取得部の一動作例を表す表である。
【図７】図３に示した画像データ生成部の一動作例を表すフローチャートである。
【図８Ａ】図１に示した画像形成装置の一動作例を表す説明図である。
【図８Ｂ】図１に示した画像形成装置の一動作例を表す他の説明図である。
【図９】第２の実施の形態に係る画像形成装置の一構成例を表すブロック図である。
【図１０】図９に示したホストＰＣにおけるソフトウェア構成の一例を表す構成図である。
【図１１】図９に示した候補テーブルの一例を表す表である。
【図１２Ａ】図９に示した画像データ生成部の一動作例を表すフローチャートである。
【図１２Ｂ】図９に示した画像データ生成部の一動作例を表す他のフローチャートである。
【図１３】図９に示した画像形成装置の一動作例を表す説明図である。
【図１４】図９に示した画像形成装置の他の動作例を表す説明図である。
【図１５】図９に示した画像形成装置の他の動作例を表す説明図である。
【図１６】第２の実施の形態の変形例に係る画像形成装置の一構成例を表すブロック図である。
【発明を実施するための形態】
【００１３】
以下、本発明の実施の形態について、図面を参照して詳細に説明する。なお、説明は以下の順序で行う。
１．第１の実施の形態
２．第２の実施の形態
【００１４】
＜１．第１の実施の形態＞
［構成例］
（全体構成例）
図１は、本発明の一実施の形態に係る画像形成装置（画像形成装置１）の一構成例を表すものである。画像形成装置１は、例えば普通用紙等からなる記録媒体に対して、電子写真方式を用いて画像を形成するプリンタとして機能するものである。
【００１５】
画像形成装置１は、ホッピングローラ１１と、レジストローラ１２と、媒体センサ１３と、５つの現像部２０（２０Ｋ，２０Ｙ，２０Ｍ，２０Ｃ，２０Ｕ）と、５つのトナー収容部２９（２９Ｋ，２９Ｙ，２９Ｍ，２９Ｃ，２９Ｕ）と、５つの露光ヘッド１６（１６Ｋ，１６Ｙ，１６Ｍ，１６Ｃ，１６Ｕ）と、転写部３０と、定着部４０とを備えている。これらの部材は、記録媒体９を搬送する搬送路１０に沿って配置されている。
【００１６】
ホッピングローラ１１は、着脱可能に構成された媒体カセット８に収納されている記録媒体９をその最上部から１枚ずつ取り出し、取り出した記録媒体９を搬送路１０に送り出す部材である。レジストローラ１２は、搬送路１０を挟む１対のローラにより構成される部材であり、ホッピングローラ１１から供給された記録媒体９の斜行を矯正するとともに、搬送路１０に沿って記録媒体９を現像部２０に導くものである。媒体センサ１３は、記録媒体９の通過を検出するものである。
【００１７】
現像部２０は、トナー像を形成するものである。具体的には、現像部２０Ｋは、黒色（Ｋ）のトナー像を形成するものであり、現像部２０Ｙは、黄色（Ｙ）のトナー像を形成するものであり、現像部２０Ｍは、マゼンタ色（Ｍ）のトナー像を形成するものであり、現像部２０Ｃは、シアン色（Ｃ）のトナー像を形成するものである。また、現像部２０Ｕは、発光トナーによるトナー像を形成するものである。ここで、発光トナーは、可視光を発するものであり、例えば、蛍光トナーを使用可能である。蛍光トナーは、外部から与えられたエネルギーに基づいて可視光を発するものである。この蛍光トナーは、具体的には、通常は例えば無色透明であり、例えば紫外線が照射されることにより、可視光を発することができるものである。この例では、各現像部２０は、記録媒体９の搬送方向Ｆにおいて、現像部２０Ｋ，２０Ｙ，２０Ｍ，２０Ｃ，２０Ｕの順に配置されている。各現像部２０は、例えば、着脱可能に構成されている。
【００１８】
トナー収容部２９Ｋは、黒色（Ｋ）のトナーを収容するものであり、現像部２０Ｋに着脱可能に構成されている。同様に、トナー収容部２９Ｙは、黄色（Ｙ）のトナーを収容するものであり、現像部２０Ｙに着脱可能に構成され、トナー収容部２９Ｍは、マゼンタ色（Ｍ）のトナーを収容するものであり、現像部２０Ｍに着脱可能に構成され、トナー収容部２９Ｃは、シアン色（Ｃ）のトナーを収容するものであり、現像部２０Ｃに着脱可能に構成され、トナー収容部２９Ｕは、発光トナーを収容するものであり、現像部２０Ｕに着脱可能に構成されている。
【００１９】
図２は、現像部２０の一構成例を表すものである。なお、この図では、現像部２０に加え、トナー収容部２９をも描いている。現像部２０は、感光ドラム２１と、帯電ローラ２２と、クリーニングブレード２３と、現像ローラ２４と、現像ブレード２５と、供給ローラ２６とを有している。
【００２０】
感光ドラム２１は、表面（表層部分）に静電潜像を担持する部材であり、感光体を用いて構成されるものである。感光ドラム２１は、ドラムモータ（図示せず）から伝達された動力により、この例では右回りで回転する。感光ドラム２１は、帯電ローラ２２により帯電する。そして、現像部２０Ｋの感光ドラム２１は、露光ヘッド１６Ｋにより露光され、現像部２０Ｙの感光ドラム２１は、露光ヘッド１６Ｙにより露光され、現像部２０Ｍの感光ドラム２１は、露光ヘッド１６Ｍにより露光され、現像部２０Ｃの感光ドラム２１は、露光ヘッド１６Ｃにより露光され、現像部２０Ｕの感光ドラム２１は、露光ヘッド１６Ｕにより露光される。このようにして、各感光ドラム２１の表面には、静電潜像が形成されるようになっている。
【００２１】
帯電ローラ２２は、感光ドラム２１の表面（表層部分）を帯電させる部材である。帯電ローラ２２は、感光ドラム２１の表面（周面）に接するように配置されるとともに、所定の押し付け量で感光ドラム２１に押し付けられように配置されている。帯電ローラ２２は、感光ドラム２１の回転に応じて、この例では左回りで回転する。帯電ローラ２２には、電源部（図示せず）により帯電電圧が印加されるようになっている。
【００２２】
クリーニングブレード２３は、感光ドラム２１の表面（表層部分）に残留するトナーを掻き取ってクリーニングする部材である。このクリーニングブレード２３は、感光ドラム２１の表面に対してカウンタで（感光ドラム２１の回転方向に対して逆向きで突出して）当接するように配置されるとともに、所定の押し付け量で感光ドラム２１に押し付けられように配置されている。
【００２３】
現像ローラ２４は、トナーを表面に担持する部材である。この現像ローラ２４は、感光ドラム２１の表面（周面）に接するように配置されるとともに、所定の押し付け量で感光ドラム２１に押し付けられように配置されている。現像ローラ２４は、ドラムモータ（図示せず）から伝達された動力により、この例では左回りで回転する。各感光ドラム２１では、現像ローラ２４から供給されたトナーにより、静電潜像に応じたトナー像が形成（現像）される。現像ローラ２４には、電源部（図示せず）により現像電圧が印加されるようになっている。
【００２４】
現像ブレード２５は、現像ローラ２３の表面に当接することにより、この現像ローラ２３の表面にトナーからなる層（トナー層）を形成させるとともに、そのトナー層の厚さを規制（制御，調整）する部材である。現像ブレード２５は、例えば、ステンレス等からなる板状弾性部材をＬ字形状に折り曲げたものである。現像ブレード２５は、その折れ曲がった部分が現像ローラ２４の表面に当接するように配置されるとともに、所定の押し付け量で現像ローラ２４に押し付けられように配置されている。現像ブレード２５には、電源部（図示せず）により供給電圧が印加されるようになっている。
【００２５】
供給ローラ２６は、トナー収容部２９内に貯蔵されたトナーを、現像ローラ２４に対して供給する部材である。この供給ローラ２６は、現像ローラ２４の表面（周面）に接するように配置されるとともに、所定の押し付け量で現像ローラ２４に押し付けられように配置されている。供給ローラ２６は、ドラムモータ（図示せず）から伝達された動力により、この例では左回りで回転する。これにより、各現像部２０では、供給ローラ２６の表面と現像ローラ２４の表面との間には摩擦が生じる。その結果、各現像部２０では、トナーが、いわゆる摩擦帯電により帯電するようになっている。供給ローラ２６には、電源部（図示せず）により供給電圧が印加されるようになっている。
【００２６】
露光ヘッド１６Ｋ（図１）は、現像部２０Ｋの感光ドラム２１に対して光を照射する部材であり、露光ヘッド１６Ｙは、現像部２０Ｙの感光ドラム２１に対して光を照射する部材であり、露光ヘッド１６Ｍは、現像部２０Ｍの感光ドラム２１に対して光を照射する部材であり、露光ヘッド１６Ｃは、現像部２０Ｃの感光ドラム２１に対して光を照射する部材であり、露光ヘッド１６Ｕは、現像部２０Ｕの感光ドラム２１に対して光を照射する部材である。ある。これにより、これらの感光ドラム２１は、露光ヘッド１６Ｋ，１６Ｙ，１６Ｍ，１６Ｃ，１６Ｕにより露光され、感光ドラム２１の表面に、静電潜像が形成されるようになっている。
【００２７】
転写部３０は、５つの現像部２０Ｋ，２０Ｙ，２０Ｍ，２０Ｃ，２０Ｕにより形成されたトナー像を、記録媒体９の被転写面上に転写する部材である。転写部３０は、５つの転写ローラ３１（３１Ｋ，３１Ｙ，３１Ｍ，３１Ｃ，３１Ｕ）と、転写ベルト３２と、駆動ローラ３３と、従動ローラ３４とを有している。
【００２８】
転写ローラ３１Ｋは、搬送路１０を介して現像部２０Ｋの感光ドラム２１に対向配置されており、転写ローラ３１Ｙは、搬送路１０を介して現像部２０Ｙの感光ドラム２１に対向配置されており、転写ローラ３１Ｍは、搬送路１０を介して現像部２０Ｍの感光ドラム２１に対向配置されており、転写ローラ３１Ｃは、搬送路１０を介して現像部２０Ｃの感光ドラム２１に対向配置されており、転写ローラ３１Ｕは、搬送路１０を介して現像部２０Ｕの感光ドラム２１に対向配置されている。転写ローラ３１Ｋ，３１Ｙ，３１Ｍ，３１Ｃ，３１Ｕのそれぞれには、電源部（図示せず）により転写電圧が印加されるようになっている。
【００２９】
転写ベルト３２は、搬送路１０に沿って記録媒体９を搬送するものである。転写ベルト３２は、駆動ローラ３３および従動ローラ３４によって張設（張架）されている。そして、転写ベルト３２は、駆動ローラ３３の回転に応じて、搬送方向Ｆの方向に循環回転するようになっている。その際、転写ベルト３２は、現像部２０Ｋと転写ローラ３１Ｋとの間、現像部２０Ｙと転写ローラ３１Ｙとの間、現像部２０Ｍと転写ローラ３１Ｍとの間、現像部２０Ｃと転写ローラ３１Ｃとの間、および現像部２０Ｕと転写ローラ３１Ｕとの間を移動するようになっている。
【００３０】
駆動ローラ３３は、転写ベルト３２を循環回転させるものである。この例では、駆動ローラ３３は、搬送方向Ｆにおいて、５つの現像部２０の下流側に配置され、ベルトモータ（図示せず）から伝達された動力により、この例では左回りで回転する。これにより、駆動ローラ３３は、転写ベルト３２を搬送方向Ｆの方向へ循環回転させるようになっている。
【００３１】
従動ローラ３４は、転写ベルト３２の循環回転に応じて、この例では左回りで従動回転するものである。この例では、従動ローラ３４は、搬送方向Ｆにおいて、５つの現像部２０の上流側に配置されている。
【００３２】
定着部４０は、記録媒体９に対し熱および圧力を付与することにより、記録媒体９上に転写されたトナー像を記録媒体９に定着させる部材である。定着部４０は、ヒートローラ４１と、加圧ローラ４３とを有している。ヒートローラ４１は、その内部にヒータ４２を含んで構成されており、記録媒体９上のトナーに対して熱を付与する部材である。ヒータ４２は、例えば、ハロゲンヒータを用いることができる。加圧ローラ４３は、ヒートローラ４１との間に圧接部が形成されるように配置されており、記録媒体９上のトナーに対して圧力を付与する部材である。これにより、定着部４０では、記録媒体９上のトナーが、加熱され、融解し、加圧される。その結果、トナー像が記録媒体９上に定着するようになっている。
【００３３】
画像形成装置１では、このようにして、記録媒体９に対して印刷が行われる。そして、印刷された記録媒体９は、媒体ガイド１７により、搬送路１０に沿って搬送され、排出トレイ１８上に積載されるようになっている。
【００３４】
図３は、画像形成装置１における制御機構の一例を表すものである。画像形成装置１は、ホストＰＣ（Personal Computer）１００から供給された印刷データＤＰに基づいて動作するようになっている。このホストＰＣ１００は、例えば、ＣＰＵ（Central Processing Unit）と、メモリと、ＨＤＤ（Hard Disk Drive）と、キーボードやマウスなどの入力装置と、液晶ディスプレイなどの表示装置と、画像形成装置１と通信するための通信部とを有するものである。
【００３５】
図４は、画像形成装置１に印刷データを供給するホストＰＣ（Personal Computer）１００におけるソフトウェア構成の一例を表すものである。ホストＰＣ１００には、オペレーティングシステム１０１、アプリケーションソフトウェア１０２、およびプリンタドライバ１０３がインストールされている。
【００３６】
オペレーティングシステム１０１は、ホストＰＣ１００の動作を制御する、いわゆる基本ソフトウェアである。
【００３７】
アプリケーションソフトウェア１０２は、例えば、ワードプロセッサソフトウェアや表計算ソフトウェアなどである。このアプリケーションソフトウェア１０２は、黒色、黄色、マゼンタ色、シアン色の４色のトナーにより印刷されるカラー画像用のコンテンツデータを生成するものである。このカラー画像は、ピクチャオブジェクトＰ、グラフィックオブジェクトＧ、テキストオブジェクトＴのうちの少なくとも１つを含んでいる。ここで、ピクチャオブジェクトＰは、画像をラスタ形式で表したものであり、グラフィックオブジェクトＧは、画像をベクタ形式で表したものである。
【００３８】
アプリケーションソフトウェア１０２は、コンテンツデータと、そのコンテンツデータのプロパティ情報ＩＮＦとを、１つの電子ファイルを用いて管理する。プロパティ情報ＩＮＦは、例えば、そのコンテンツの作成者、作成者が所属する会社名、コンテンツの作成日時、コンテンツの変更履歴、コンテンツの有効期限などの情報を含んでいる。また、プロパティ情報ＩＮＦは、ユーザが自由に記入することができるメモ情報を含んでいてもよい。
【００３９】
アプリケーションソフトウェア１０２は、ユーザからの印刷指示に応じて、コンテンツデータに基づいてスプールファイルを生成する機能をも有している。そして、アプリケーションソフトウェア１０２は、そのスプールファイルを、オペレーティングシステム１０１を介して、プリンタドライバ１０３に供給するようになっている。
【００４０】
プリンタドライバ１０３は、画像形成装置１の動作を制御する、いわゆるデバイスドライバである。プリンタドライバ１０３は、ユーザインタフェース部１０４と、プロパティ情報取得部１０５と、印刷データ生成部１０６とを有している。
【００４１】
ユーザインタフェース部１０４は、印刷設定画面をホストＰＣ１００の表示装置に表示させるとともに、ユーザからの指示を受け付けることにより、様々な印刷設定を行うものである。
【００４２】
プロパティ情報取得部１０５は、オペレーティングシステム１０１を介して、アプリケーションソフトウェア１０２からプロパティ情報ＩＮＦを取得するものである。具体的には、例えば、ユーザが、印刷設定画面を用いて、プロパティ情報ＩＮＦを記録媒体９に印刷する旨を指示した場合に、プロパティ情報取得部１０５は、アプリケーションソフトウェア１０２からプロパティ情報ＩＮＦを取得する。そして、このプロパティ情報取得部１０５は、取得したプロパティ情報ＩＮＦのうち、記録媒体９に印刷する情報のそれぞれに対して、タグＴＡＧを付するようになっている。
【００４３】
図５は、プロパティ情報ＩＮＦおよびタグＴＡＧの一例を表すものである。この例では、プロパティ情報取得部１０５は、コンテンツの作成者を示すプロパティ情報ＩＮＦ１にタグＴＡＧ１を付け、コンテンツの作成者が所属する会社名を示すプロパティ情報ＩＮＦ２にタグＴＡＧ２を付け、コンテンツの作成日時を示すプロパティ情報ＩＮＦ３にタグＴＡＧ３を付ける。このように、プロパティ情報取得部１０５は、印刷すべきプロパティ情報ＩＮＦのそれぞれに対して、互いに異なるタグＴＡＧを付するようになっている。
【００４４】
さらに、プロパティ情報取得部１０５は、印刷すべきプロパティ情報ＩＮＦの記録媒体９における印刷位置を示す位置情報ＰＯＳを生成する機能をも有している。具体的には、例えば、ユーザが、印刷設定画面を用いて、プロパティ情報ＩＮＦの印刷位置を設定する旨を指示した場合に、プロパティ情報取得部１０５は位置情報ＰＯＳを生成する。その際、プロパティ情報取得部１０５は、印刷設定画面を用いて、ユーザに、例えば、“記録媒体９の右上”、“記録媒体９の左上”、“記録媒体９の右下”、および“記録媒体９の左下”のうちの１つを選択させ、その選択結果に基づいて位置情報ＰＯＳを生成してもよいし、ユーザが入力した座標情報などに基づいて位置情報ＰＯＳを生成してもよい。また、プロパティ情報取得部１０５は、この位置情報ＰＯＳに対しても、タグＴＡＧを付するようになっている。
【００４５】
図６は、位置情報ＰＯＳおよびタグＴＡＧの一例を表すものである。この例では、プロパティ情報取得部１０５は、作成者（プロパティ情報ＩＮＦ１）の印刷位置を示す位置情報ＰＯＳ１にタグＴＡＧ１０１を付け、会社名（プロパティ情報ＩＮＦ２）の印刷位置を示す位置情報ＰＯＳ２にタグＴＡＧ１０２を付け、作成日時（プロパティ情報ＩＮＦ３）の印刷位置を示す位置情報ＰＯＳ３にタグＴＡＧ１０３を付ける。このように、プロパティ情報取得部１０５は、印刷すべきプロパティ情報ＩＮＦの位置情報ＰＯＳのそれぞれに対して、互いに異なるタグＴＡＧを付するようになっている。
【００４６】
印刷データ生成部１０６は、スプールファイルに基づいて印刷データＤＰを生成するものである。ここで、印刷データＤＰは、例えば、ページ記述言語（ＰＤＬ；Page Description Language）により記述されたものである。そして、印刷データ生成部１０６は、この印刷データＤＰを画像形成装置１に送信する。その際、印刷データ生成部１０６は、印刷データＤＰに加え、プロパティ情報取得部１０５が取得したプロパティ情報ＩＮＦ、プロパティ情報取得部１０５が生成した位置情報ＰＯＳおよびタグＴＡＧをも、画像形成装置１に送信するようになっている。
【００４７】
画像形成装置１（図３）は、通信部５１と、印刷位置設定部５２と、画像データ生成部６０と、制御部５３と、印刷制御部５５とを有している。
【００４８】
通信部５１は、この例では、ホストＰＣ１００から、印刷データＤＰ、プロパティ情報ＩＮＦ、位置情報ＰＯＳ、およびタグＴＡＧを受け取るものである。通信部５１は、例えば、ＵＳＢ（Universal Serial Bus）によりホストＰＣ１００と接続されるようにしてもよいし、ＬＡＮ（Local Area Network）を介してホストＰＣ１００に接続されるようにしてもよい。
【００４９】
印刷位置設定部５２は、印刷設定画面を画像形成装置１の表示部（図示せず）に表示させ、ユーザの入力情報に基づいて、記録媒体９におけるプロパティ情報ＩＮＦの印刷位置を設定するものである。具体的には、印刷位置設定部５２は、例えば、印刷設定画面を用いて、ユーザに、例えば、“記録媒体９の右上”、“記録媒体９の左上”、“記録媒体９の右下”、および“記録媒体９の左下”のうちの１つを選択させ、その選択結果に基づいて印刷位置を設定してもよいし、ユーザが入力した座標情報などに基づいて印刷位置を設定してもよい。
【００５０】
画像データ生成部６０は、印刷データＤＰに基づいて、画像データ６５を生成するものである。画像データ６５は、５つの画像データ６５Ｋ，６５Ｙ，６５Ｍ，６５Ｃ，６５Ｕを含んでいる。画像データ６５Ｋは、黒色（Ｋ）のトナーにより形成される黒色画像のデータであり、画像データ６５Ｙは、黄色（Ｙ）のトナーにより形成される黄色画像のデータであり、画像データ６５Ｍは、マゼンタ色（Ｍ）のトナーにより形成されるマゼンタ色画像のデータであり、画像データ６５Ｃは、シアン色（Ｃ）のトナーにより形成されるシアン色画像のデータであり、画像データ６５Ｕは、発光トナーにより形成される発光画像のデータである。画像データ生成部６０は、印刷データ解析部６１と、画像描画部６６と、記憶部６３とを有している。
【００５１】
印刷データ解析部６１は、印刷データＤＰを解析することにより、黒色、黄色、マゼンタ色、シアン色の４色のトナーにより印刷されるカラー画像用の中間コードを生成するものである。その際、印刷データ解析部６１は、ピクチャオブジェクトＰ、グラフィックオブジェクトＧ、およびテキストオブジェクトＴの中間コードをそれぞれ生成するようになっている。
【００５２】
また、印刷データ解析部６１は、プロパティ情報ＩＮＦに基づいて、発光トナーにより印刷される発光画像用の中間コードを生成する機能をも有している。印刷データ解析部６１は、タグ処理部６２を有している。タグ処理部６２は、タグＴＡＧを用いて、プロパティ情報ＩＮＦを取得する。具体的には、タグ処理部６２は、所定のタグＴＡＧが付された情報をプロパティ情報ＩＮＦであると識別する。また、タグ処理部６２は、位置情報ＰＯＳも供給されている場合には、タグＴＡＧを用いて、位置情報ＰＯＳを取得する。具体的には、タグ処理部６２は、所定のタグＴＡＧが付された情報を位置情報ＰＯＳであると識別する。印刷データ解析部６１は、位置情報ＰＯＳを取得した場合には、この位置情報ＰＯＳに基づいて、プロパティ情報ＩＮＦの印刷位置を設定することにより、発光画像用の中間コードを生成する。また、印刷データ解析部６１は、位置情報ＰＯＳを取得していない場合には、印刷位置設定部５２の設定値に基づいて、プロパティ情報ＩＮＦの印刷位置を設定することにより、発光画像用の中間コードを生成するようになっている。
【００５３】
印刷データ解析部６１は、このようにして、カラー画像用の中間コードおよび発光画像用の中間コードを生成する。そして、印刷データ解析部６１は、これらの中間コードを、ディスプレイリスト６４として、記憶部６３に記憶させるようになっている。
【００５４】
画像描画部６６は、記憶部６３に記憶されたディスプレイリスト６４に基づいて、画像データ６５を生成するものである。画像描画部６６は、カラー画像描画部６７と、発光画像描画部６８とを有している。カラー画像描画部６７は、ディスプレイリスト６４に含まれるカラー画像用の中間コードに基づいて、画像データ６５Ｋ，６５Ｙ，６５Ｍ，６５Ｃを生成するものである。発光画像描画部６８は、ディスプレイリスト６４に含まれる発光画像用の中間コードに基づいて、画像データ６５Ｕを生成するものである。そして、画像描画部６６は、これらの画像データ６５Ｋ，６５Ｙ，６５Ｍ，６５Ｃ，６５Ｕを、画像データ６５として、記憶部６３に記憶させるようになっている。
【００５５】
記憶部６３は、ディスプレイリスト６４と、画像データ６５とを記憶するものである。
【００５６】
制御部５３は、画像形成装置１の全体の動作を制御するとともに、記憶部６３に記憶された画像データ６５を印刷制御部５５に供給するものである。
【００５７】
印刷制御部５５は、制御部５３から供給された画像データ６５に基づいて、画像形成装置１が有する５つの露光ヘッド１６、５つの現像部２０、転写部３０、定着部４０、各種ローラなどの各部材の動作を制御するものである。
【００５８】
ここで、現像部２０Ｋ，２０Ｙ，２０Ｍ，２０Ｃおよび露光ヘッド１６Ｋ，１６Ｙ，１６Ｍ，１６Ｃは、本発明における「第１の画像形成部」の一具体例に対応する。画像データ６５Ｋ，６５Ｙ，６５Ｍ，６５Ｃは、本発明における「第１の画像データ」の一具体例に対応する。現像部２０Ｕおよび露光ヘッド１６Ｕは、本発明における「第２の画像形成部」の一具体例に対応する。画像データ６５Ｕは、本発明における「第２の画像データ」の一具体例に対応する。画像データ生成部６０は、本発明における「生成部」の一具体例に対応する。プロパティ情報ＩＮＦは、本発明における「付加情報」の一具体例に対応する。印刷位置設定部５２は、本発明における「位置設定部」の一具体例に対応する。プロパティ情報取得部１０５および印刷データ生成部１０６は、本発明における「印刷データ生成部」の一具体例に対応する。
【００５９】
［動作および作用］
続いて、本実施の形態の画像形成装置１の動作および作用について説明する。
【００６０】
（全体動作概要）
まず、図１〜３を参照して、画像形成装置１の全体動作概要を説明する。画像形成装置１では、画像データ生成部６０（図３）は、通信部５１を介してホストＰＣ１００から、例えば印刷データＤＰ、プロパティ情報ＩＮＦ、位置情報ＰＯＳ、およびタグＴＡＧを受け取る。印刷データ解析部６１は、この印刷データＤＰに基づいてカラー画像用の中間コードを生成するとともに、プロパティ情報ＩＮＦ、位置情報ＰＯＳ、およびタグＴＡＧに基づいて発光画像用の中間コードを生成する。そして、画像描画部６６は、これらの中間コードに基づいて、画像データ６５Ｋ，６５Ｙ，６５Ｍ，６５Ｃ，６５Ｕを生成する。制御部５３は、これらの画像データ６５Ｋ，６５Ｙ，６５Ｍ，６５Ｃ，６５Ｕを印刷制御部５５に供給する。印刷制御部５５は、制御部５３から供給された画像データ６５に基づいて、画像形成装置１（図１）が有する５つの現像部２０、転写部３０、定着部４０などの各部材の動作を制御する。具体的には、露光ヘッド１６Ｋおよび現像部２０Ｋは、画像データ６５Ｋに基づいて黒色のトナーのトナー像を形成し、露光ヘッド１６Ｙおよび現像部２０Ｙは、画像データ６５Ｙに基づいて黄色のトナーのトナー像を形成し、露光ヘッド１６Ｍおよび現像部２０Ｍは、画像データ６５Ｍに基づいてマゼンタ色のトナーのトナー像を形成し、露光ヘッド１６Ｃおよび現像部２０Ｃは、画像データ６５Ｃに基づいてシアン色のトナーのトナー像を形成し、露光ヘッド１６Ｕおよび現像部２０Ｕは、画像データ６５Ｕに基づいて発光トナーのトナー像を形成する。転写部３０は、各現像部２０が生成したトナー像を記録媒体９上に転写する。そして、定着部４０は、記録媒体９上のトナー像を定着させる。このようにして、画像形成装置１は、記録媒体９に、カラー画像および発光画像を印刷する。
【００６１】
（画像データ生成部６０の詳細動作）
図７は、画像データ生成部６０の一動作例を表すものである。画像データ生成部６０は、印刷データＤＰに基づいてカラー画像用の中間コードを生成するとともに、プロパティ情報ＩＮＦに基づいて発光画像用の中間コードを生成し、これらの中間コードに基づいて、画像データ６５を生成する。以下に、この動作について詳細に説明する。
【００６２】
まず、画像データ生成部６０の印刷データ解析部６１は、印刷データＤＰに基づいて、カラー画像用の中間コードを生成する（ステップＳ１）。そして、印刷データ解析部６１は、生成したカラー画像用の中間コードを、ディスプレイリスト６４として、記憶部６３に記憶する。
【００６３】
次に、印刷データ解析部６１のタグ処理部６２は、通信部５１がプロパティ情報ＩＮＦを受信したかどうかを確認する（ステップＳ２）。具体的には、タグ処理部６２は、タグＴＡＧを利用して、プロパティ情報ＩＮＦを受信したかどうかを確認する。
【００６４】
ステップＳ２において、プロパティ情報ＩＮＦを受信した場合（ステップＳ２において“Ｙ”）には、タグ処理部６２は、通信部５１が位置情報ＰＯＳを受信したかどうかを確認する（ステップＳ３）。具体的には、タグ処理部６２は、タグＴＡＧを利用して、位置情報ＰＯＳを受信したかどうかを確認する。位置情報ＰＯＳを受信した場合（ステップＳ３において“Ｙ”）には、タグ処理部６２は、その位置情報ＰＯＳに基づいて、プロパティ情報ＩＮＦの印刷位置を設定する（ステップＳ４）。また、位置情報ＰＯＳを受信していない場合（ステップＳ３において“Ｎ”）には、タグ処理部６２は、印刷位置設定部５２における設定値に基づいて、プロパティ情報ＩＮＦの印刷位置を設定する（ステップＳ５）。
【００６５】
次に、印刷データ解析部６１は、プロパティ情報ＩＮＦと、ステップＳ４またはステップＳ５において設定したプロパティ情報ＩＮＦの印刷位置とに基づいて、発光画像用の中間コードを生成する（ステップＳ６）。そして、印刷データ解析部６１は、生成した発光画像用の中間コードを、ディスプレイリスト６４として、記憶部６３に記憶させる。
【００６６】
次に、画像描画部６６は、カラー画像用の中間コードおよび発光画像用の中間コードに基づいて、画像データ６５を生成する（ステップＳ７）。具体的には、画像描画部６６のカラー画像描画部６７は、カラー画像用の中間コードに基づいて画像データ６５Ｋ，６５Ｙ，６５Ｍ，６５Ｃを生成する。また、発光画像描画部６８は、発光画像用の中間コードに基づいて画像データ６５Ｕを生成する。そして、画像描画部６６は、これらの画像データ６５Ｋ，６５Ｙ，６５Ｍ，６５Ｃ，６５Ｕを、画像データ６５として、記憶部６３に記憶させる。
【００６７】
ステップＳ２において、プロパティ情報ＩＮＦを受信していない場合（ステップＳ２において“Ｎ”）には、画像描画部６６は、カラー画像用の中間コードに基づいて、画像データ６５を生成する（ステップＳ８）。具体的には、カラー画像描画部６７は、カラー画像用の中間コードに基づいて画像データ６５Ｋ，６５Ｙ，６５Ｍ，６５Ｃを生成する。そして、画像描画部６６は、これらの画像データ６５Ｋ，６５Ｙ，６５Ｍ，６５Ｃを、画像データ６５として、記憶部６３に記憶させる。
【００６８】
以上で、このフローは終了する。
【００６９】
図８Ａは、黒色、黄色、マゼンタ色、シアン色の４色のトナーにより印刷されるカラー画像の一例を表すものである。図８Ｂは、発光トナーにより印刷される発光画像の一例を表すものである。画像形成装置１は、図８Ａに示したカラー画像と、図８Ｂに示した発光画像とを、重ねて印刷する。すなわち、プロパティ情報ＩＮＦは、この例では、記録媒体９の左下に、発光画像として印刷される。
【００７０】
このように、画像形成装置１では、ユーザが作成したコンテンツをカラー画像として印刷するとともに、プロパティ情報ＩＮＦを発光画像として印刷するようにしたので、ユーザの利便性を高めることができる。すなわち、例えば、コンテンツおよびプロパティ情報ＩＮＦを、ともにカラー画像として印刷する場合には、コンテンツとプロパティ情報ＩＮＦが重なってしまうおそれがあり、その場合には視認性が悪くなってしまう。また、例えば、プロパティ情報ＩＮＦを、コンテンツの余白部にカラー画像として印刷する場合には、例えば余白部が狭いときに、視認性が悪くなってしまうおそれがある。すなわち、このような場合には、プロパティ情報ＩＮＦを縮小して印刷し、あるいは、プロパティ情報ＩＮＦのレイアウトを変更して印刷する必要があるため、視認性が悪くなってしまうおそれがある。一方、画像形成装置１では、コンテンツをカラー画像として印刷するとともに、プロパティ情報ＩＮＦを発光画像として印刷するようにした。これにより、例えば、ユーザが紫外線ライトを用いて紫外線を照射することにより、ユーザは、記録媒体９の所定の位置に、所定の大きさで印刷されたプロパティ情報を発光画像として視認することができる。これにより、画像形成装置１では、ユーザが、プロパティ情報を視認する際の視認性を高めることができ、ユーザの利便性を高めることができる。また、例えば、ユーザが紫外線を照射しない場合には、プロパティ情報は透明になるため、ユーザはそのプロパティ情報を視認しにくくなる。これにより、画像形成装置１では、ユーザが、コンテンツを視認する際の視認性を高めることができ、ユーザの利便性を高めることができる。
【００７１】
また、画像形成装置１では、コンテンツが記録媒体９全面に印刷されている場合において、コンテンツのプロパティ情報ＩＮＦを、コンテンツに重ねて印刷するようにしたので、ユーザの利便性を高めることができる。すなわち、ユーザは、しばしば、印刷されたコンテンツの作成者や作成日時などのプロパティ情報ＩＮＦを確認したい場合がある。その際、仮に、プロパティ情報ＩＮＦを印刷せず、ユーザが、そのコンテンツの電子ファイルを用いて、このプロパティ情報ＩＮＦを確認する場合には、手間がかかる。また、例えば、コンテンツが印刷された記録媒体９の裏面にプロパティ情報ＩＮＦを印刷した場合には、その記録媒体９の使用範囲が限られるおそれがある。すなわち、このような場合には、例えば、記録媒体９の両面にコンテンツを印刷することはできず、また、記録媒体９を他の媒体に貼り付けるような用途には用いることができないからである。一方、画像形成装置１では、コンテンツのプロパティ情報ＩＮＦを、コンテンツに重ねて印刷するようにした。これにより、例えば、ユーザが紫外線ライトを用いて紫外線を照射することにより、そのコンテンツのプロパティ情報ＩＮＦをすぐに確認することができる。その結果、画像形成装置１では、ユーザの利便性を高めることができる。
【００７２】
［効果］
以上のように本実施の形態では、コンテンツをカラー画像として印刷するとともに、プロパティ情報を発光画像として印刷するようにしたので、ユーザの利便性を高めることができる。
【００７３】
また、本実施の形態では、プロパティ情報をコンテンツに重ねて印刷するようにしたので、ユーザの利便性を高めることができる。
【００７４】
［変形例１−１］
上記実施の形態では、プロパティ情報ＩＮＦを発光画像として印刷したが、これに限定されるものではなく、例えば、カラー画像として印刷されるコンテンツに関連する情報であれば、どのようなものであってもよい。このような情報は、例えば、ユーザが、必要なときだけ確認するような情報であることが望ましい。
【００７５】
＜２．第２の実施の形態＞
次に、第２の実施の形態に係る画像形成装置２について説明する。本実施の形態は、カラー画像に応じて、発光オブジェクトの印刷位置を変更可能に構成されたものである。なお、上記第１の実施の形態に係る画像形成装置１と実質的に同一の構成部分には同一の符号を付し、適宜説明を省略する。
【００７６】
図９は、画像形成装置２における制御機構の一例を表すものである。図１０は、画像形成装置１に印刷データを供給するホストＰＣ１１０におけるソフトウェア構成の一例を表すものである。ホストＰＣ１１０には、アプリケーションソフトウェア１１２およびプリンタドライバ１１３がインストールされている。
【００７７】
アプリケーションソフトウェア１１２は、例えば、ワードプロセッサソフトウェアや表計算ソフトウェアなどである。このアプリケーションソフトウェア１１２は、黒色、黄色、マゼンタ色、シアン色の４色のトナーにより印刷されるカラー画像用のコンテンツデータだけでなく、発光トナーにより印刷される発光画像用のコンテンツデータをも生成するものである。カラー画像は、ピクチャオブジェクトＰ、グラフィックオブジェクトＧ、テキストオブジェクトＴのうちの少なくとも１つを含んでいる。また、発光画像は、発光オブジェクトＵを有している。
【００７８】
プリンタドライバ１１３は、ユーザインタフェース部１１４と、印刷データ生成部１１６とを有している。ユーザインタフェース部１１４は、印刷設定画面をホストＰＣ１１０の表示装置に表示させるとともに、ユーザからの指示を受け付けることにより、様々な印刷設定を行うものである。印刷データ生成部１１６は、印刷データＤＰを生成し、その印刷データＤＰを画像形成装置２に送信するものである。その際、印刷データ生成部１１６は、各オブジェクトの種別を示す種別情報と、各オブジェクトの印刷位置を示す位置情報とを含む印刷ジョブデータを生成する。そして、印刷データ生成部１１６は、スプールファイルおよび印刷ジョブデータに基づいて、印刷データＤＰを生成するようになっている。
【００７９】
画像形成装置２（図９）は、画像データ生成部７０を有している。画像データ生成部７０は、印刷データ解析部７１と、画像描画部６６と、記憶部７６とを有している。
【００８０】
印刷データ解析部７１は、印刷データＤＰを解析することにより、黒色、黄色、マゼンタ色、シアン色の４色のトナーにより印刷されるカラー画像用の中間コードと、発光トナーにより印刷される発光画像用の中間コードを生成するものである。印刷データ解析部７１は、オブジェクト判別部７２と、印刷位置設定部７３と、カラーデータ処理部７４と、発光データ処理部７５とを有している。
【００８１】
オブジェクト判別部７２は、印刷データＤＰに含まれる印刷ジョブデータに基づいて、各オブジェクトの種別を判別するとともに、各オブジェクトの印刷位置を取得するものである。さらに、オブジェクト判別部７２は、印刷データＤＰに含まれる各オブジェクトおよび印刷ジョブデータに基づいて、以下に示す候補テーブル７７を生成する機能をも有している。
【００８２】
図１１は、候補テーブル７７の一例を表すものである。この例では、候補テーブル７７は、複数のテキストオブジェクトＴのうちの、面積が一番大きいオブジェクトの印刷位置および面積と、複数のグラフィックオブジェクトＧのうちの、面積が一番大きいオブジェクトの印刷位置および面積と、複数のピクチャオブジェクトＰのうちの、面積が一番大きいオブジェクトの印刷位置および面積についての情報を有している。
【００８３】
オブジェクト判別部７２は、印刷データＤＰに基づいて、このような候補テーブル７７を生成する。そして、オブジェクト判別部７２は、この候補テーブル７７を記憶部７６に記憶させるようになっている。
【００８４】
印刷位置設定部７３は、記憶部７６に記憶された候補テーブル７７に基づいて、発光オブジェクトＵの印刷位置を設定するものである。
【００８５】
カラーデータ処理部７４は、印刷データＤＰに基づいて、カラー画像用のピクチャオブジェクトＰ、グラフィックオブジェクトＧ、およびテキストオブジェクトＴの中間コードをそれぞれ生成するものである。また、カラーデータ処理部７４は、例えば、グラフィクスオブジェクトＧである場合には、例えば、そのグラフィックを構成する線の太さに関する情報などを含む属性情報を生成する。また、カラーデータ処理部７４は、例えば、テキストオブジェクトＴである場合には、例えば、テキストのフォントサイズに関する情報などを含む属性情報を生成する。そして、カラーデータ処理部７４は、中間コード、位置情報、種別情報、および属性情報を、ディスプレイリスト７８として、記憶部７６に記憶させるようになっている。
【００８６】
発光データ処理部７５は、印刷データＤＰに基づいて、発光オブジェクトＵを印刷位置設定部７３が設定した印刷位置に配置することにより、中間コードを生成するものである。そして、発光データ処理部７５は、生成した中間コードを、ディスプレイリスト７８として、記憶部７６に記憶させるようになっている。
【００８７】
画像描画部６６は、上記実施の形態の場合と同様に、記憶部７６に記憶されたディスプレイリスト７８に基づいて、画像データ７９Ｋ，７９Ｙ，７９Ｍ，７９Ｃ，７９Ｕを生成するものである。そして、画像描画部６６は、これらの画像データ７９Ｋ，７９Ｙ，７９Ｍ，７９Ｃ，７９Ｕを、画像データ７９として、記憶部７６に記憶させるようになっている。
【００８８】
記憶部７６は、候補テーブル７７と、ディスプレイリスト７８と、画像データ７９とを記憶するものである。
【００８９】
図１２は、画像データ生成部７０の一動作例を表すものである。画像データ生成部７０は、印刷データＤＰに基づいてカラー画像用の中間コードを生成するとともに、候補テーブル７７を生成し、印刷データＤＰおよびこの候補テーブル７７に基づいて発光画像用の中間コードを生成する。そして、画像データ生成部７０は、これらの中間コードに基づいて、画像データ７９を生成する。以下に、この動作について詳細に説明する。
【００９０】
まず、画像データ生成部７０のオブジェクト判別部７２は、印刷データＤＰに基づいて、複数のオブジェクトのうちの、発光オブジェクトＵ以外のオブジェクトを１つ選択する（ステップＳ１１）。
【００９１】
次に、オブジェクト判別部７２は、印刷データＤＰの印刷ジョブデータに基づいて、選択したオブジェクトの種別を確認する（ステップＳ１２）。
【００９２】
ステップＳ１２において、選択したオブジェクトがテキストオブジェクトＴである場合には、まず、オブジェクト判別部７２が、印刷ジョブデータに基づいて、そのテキストオブジェクトＴの印刷位置を取得する（ステップＳ１３）。そして、カラーデータ処理部７４は、そのテキストオブジェクトＴの中間コードを生成する（ステップＳ１４）。その際、カラーデータ処理部７４は、テキストのフォントサイズに関する情報などを含む属性情報を生成する。そして、カラーデータ処理部７４は、生成した中間コードと、位置情報と、種別情報と、属性情報とを、ディスプレイリスト７８として、記憶部７６に記憶させる。次に、オブジェクト判別部７２は、そのテキストオブジェクトＴの面積を算出する（ステップＳ１５）。そして、オブジェクト判別部７２は、ステップＳ１５において算出した面積が、候補テーブル７７におけるテキストオブジェクトＴの面積よりも大きいか否かを確認する（ステップＳ１６）。ステップＳ１５において算出した面積が、候補テーブル７７におけるテキストオブジェクトＴの面積よりも大きい場合（ステップＳ１６において“Ｙ”）には、オブジェクト判別部７２は、ステップＳ１３において取得したテキストオブジェクトＴの印刷位置、およびステップＳ１５において算出したテキストオブジェクトＴの面積を用いて、候補テーブル７７を更新する（ステップＳ１７）。そして、ステップＳ１８に進む。
【００９３】
ステップＳ１２において、選択したオブジェクトがグラフィックオブジェクトＧである場合には、まず、オブジェクト判別部７２が、印刷ジョブデータに基づいて、そのグラフィックオブジェクトＧの印刷位置を取得する（ステップＳ２３）。そして、カラーデータ処理部７４は、そのグラフィックオブジェクトＧの中間コードを生成する（ステップＳ２４）。その際、カラーデータ処理部７４は、そのグラフィックを構成する線の太さに関する情報などを含む属性情報を生成する。そして、カラーデータ処理部７４は、生成した中間コードと、位置情報と、種別情報と、属性情報とを、ディスプレイリスト７８として、記憶部７６に記憶させる。次に、オブジェクト判別部７２は、そのグラフィックオブジェクトＧの面積を算出する（ステップＳ２５）。そして、オブジェクト判別部７２は、ステップＳ２５において算出した面積が、候補テーブル７７におけるグラフィックオブジェクトＧの面積よりも大きいか否かを確認する（ステップＳ２６）。ステップＳ２５において算出した面積が、候補テーブル７７におけるグラフィックオブジェクトＧの面積よりも大きい場合（ステップＳ２６において“Ｙ”）には、オブジェクト判別部７２は、ステップＳ２３において取得したグラフィックオブジェクトＧの印刷位置、およびステップＳ２５において算出したグラフィックオブジェクトＧの面積を用いて、候補テーブル７７を更新する（ステップＳ２７）。そして、ステップＳ１８に進む。
【００９４】
ステップＳ１２において、選択したオブジェクトがピクチャオブジェクトＰである場合には、まず、オブジェクト判別部７２が、印刷ジョブデータに基づいて、そのピクチャオブジェクトＰの印刷位置を取得する（ステップＳ３３）。そして、カラーデータ処理部７４は、そのピクチャオブジェクトＰの中間コードを生成する（ステップＳ３４）。そして、カラーデータ処理部７４は、生成した中間コードと、位置情報と、種別情報とを、ディスプレイリスト７８として、記憶部７６に記憶させる。次に、オブジェクト判別部７２は、そのピクチャオブジェクトＰの面積を算出する（ステップＳ３５）。そして、オブジェクト判別部７２は、ステップＳ３５において算出した面積が、候補テーブル７７におけるピクチャオブジェクトＰの面積よりも大きいか否かを確認する（ステップＳ３６）。ステップＳ３５において算出した面積が、候補テーブル７７におけるピクチャオブジェクトＰの面積よりも大きい場合（ステップＳ３６において“Ｙ”）には、オブジェクト判別部７２は、ステップＳ３３において取得したピクチャオブジェクトＰの印刷位置、およびステップＳ３５において算出したピクチャオブジェクトＰの面積を用いて、候補テーブル７７を更新する（ステップＳ３７）。そして、ステップＳ１８に進む。
【００９５】
次に、オブジェクト判別部７２は、発光オブジェクトＵ以外の全てのオブジェクトを選択したか否かを確認する（ステップＳ１８）。まだ全てのオブジェクトを選択していない場合（ステップＳ１８において“Ｎ”）、オブジェクト判別部７２は、まだ選択していないオブジェクトのうちの、発光オブジェクトＵ以外のオブジェクトを１つ選択し（ステップＳ１９）、ステップＳ１２に進む。そして、発光オブジェクトＵ以外の全てのオブジェクトを選択するまで、これらの処理を繰り返す。
【００９６】
ステップＳ１８において、発光オブジェクトＵ以外の全てのオブジェクトを選択した場合（ステップＳ１８において“Ｙ”）、次に、印刷データ解析部７１の印刷位置設定部７３は、候補テーブル７７にピクチャオブジェクトＰの情報があるか否かを確認する（ステップＳ４１）。候補テーブル７７にピクチャオブジェクトＰの情報がある場合（ステップＳ４１において“Ｙ”）には、印刷位置設定部７３は、候補テーブル７７におけるピクチャオブジェクトＰの印刷位置に基づいて、発光オブジェクトＵの印刷位置を設定する（ステップＳ４２）。そして、ステップＳ４６に進む。
【００９７】
ステップＳ４１において、候補テーブル７７にピクチャオブジェクトＰの情報がない場合（ステップＳ４１において“Ｎ”）には、印刷位置設定部７３は、候補テーブル７７にグラフィックオブジェクトＧの情報があるか否かを確認する（ステップＳ４３）。候補テーブル７７にグラフィックオブジェクトＧの情報がある場合（ステップＳ４３において“Ｙ”）には、印刷位置設定部７３は、候補テーブル７７におけるグラフィックオブジェクトＧの印刷位置に基づいて、発光オブジェクトＵの印刷位置を設定する（ステップＳ４４）。そして、ステップＳ４６に進む。
【００９８】
ステップＳ４３において、候補テーブル７７にグラフィックオブジェクトＧの情報がない場合（ステップＳ４３において“Ｎ”）には、印刷位置設定部７３は、候補テーブル７７におけるテキストオブジェクトＴの印刷位置に基づいて、発光オブジェクトＵの印刷位置を設定する（ステップＳ４５）。
【００９９】
次に、発光データ処理部７５は、印刷データＤＰに基づいて、発光オブジェクトＵの中間コードを生成する（ステップＳ４６）。具体的には、発光データ処理部７５は、発光オブジェクトＵと、ステップＳ４２，Ｓ４４，Ｓ４５において設定した印刷位置とに基づいて、中間コードを生成する。そして、発光データ処理部７５は、生成した中間コードを、ディスプレイリスト７８として、記憶部７６に記憶させる。
【０１００】
次に、画像描画部６６は、カラー画像用の中間コードおよび発光画像用の中間コードに基づいて、画像データ７９を生成する（ステップＳ４７）。具体的には、画像描画部６６のカラー画像描画部６７は、ピクチャオブジェクトＰ、グラフィックオブジェクトＧ、およびテキストオブジェクトＴの中間コード、位置情報、種別情報、および属性情報に基づいて、画像データ７９Ｋ，７９Ｙ，７９Ｍ，７９Ｃを生成する。また、発光画像描画部６８は、発光オブジェクトＵの中間コードに基づいて画像データ７９Ｕを生成する。そして、画像描画部６６は、これらの画像データ７９Ｋ，７９Ｙ，７９Ｍ，７９Ｃ，７９Ｕを、画像データ７９として、記憶部７６に記憶させる。
【０１０１】
以上で、このフローは終了する。
【０１０２】
図１３は、記録媒体９に印刷された画像の一例を表すものである。この例では、記録媒体９には、１つのピクチャオブジェクトＰ１と、１つのグラフィクスオブジェクトＧ１と、２つのテキストオブジェクトＴ１，Ｔ２が、カラー画像として印刷されるとともに、発光オブジェクトＵ１が、発光画像として印刷されている。発光オブジェクトＵ１は、ピクチャオブジェクトＰ１に重ねて印刷されている。すなわち、この例では、図１２Ｂに示したように、候補テーブル７７にピクチャオブジェクトＰ１の情報があるため（ステップＳ４１）、印刷位置設定部７３は、そのピクチャオブジェクトＰ１の印刷位置に基づいて、発光オブジェクトＵの印刷位置を設定する（ステップＳ４２）。
【０１０３】
図１４は、記録媒体９に印刷された画像の他の例を表すものである。この例では、記録媒体９には、１つのグラフィクスオブジェクトＧ１と、２つのテキストオブジェクトＴ１，Ｔ２が、カラー画像として印刷されるとともに、発光オブジェクトＵ１が、発光画像として印刷されている。発光オブジェクトＵ１は、グラフィクスオブジェクトＧ１に重ねて印刷されている。すなわち、この例では、図１２Ｂに示したように、候補テーブル７７にピクチャオブジェクトＰの情報がないが（ステップＳ４１）、グラフィックオブジェクトＧ１の情報があるため（ステップＳ４３）、印刷位置設定部７３は、そのグラフィックオブジェクトＧ１の印刷位置に基づいて、発光オブジェクトＵの印刷位置を設定する（ステップＳ４４）。
【０１０４】
図１５は、記録媒体９に印刷された画像のさらに他の例を表すものである。この例では、記録媒体９には、２つのテキストオブジェクトＴ１，Ｔ２がカラー画像として印刷されるとともに、発光オブジェクトＵ１が発光画像として印刷されている。発光オブジェクトＵ１は、２つのテキストオブジェクトＴ１，Ｔ２のうちの面積が大きいテキストオブジェクトＴ１に重ねて印刷されている。すなわち、この例では、図１２Ｂに示したように、候補テーブル７７にピクチャオブジェクトＰの情報がなく（ステップＳ４１）、さらにグラフィックオブジェクトＧの情報もないため（ステップＳ４３）、印刷位置設定部７３は、面積が大きいテキストオブジェクトＴ１の印刷位置に基づいて、発光オブジェクトＵの印刷位置を設定する（ステップＳ４５）。
【０１０５】
このように、画像形成装置２では、カラー画像に応じて、発光オブジェクトの印刷位置を変更するようにしたので、ユーザの利便性を高めることができる。すなわち、例えば、発光オブジェクトＵは、ユーザが紫外線を照射しない場合でも、光沢度の差などにより、ユーザに視認されるおそれがある。よって、このような発光オブジェクトを、例えばカラー画像の余白部に配置した場合には、余白部に発光オブジェクトＵが視認されることにより、見栄えが悪くなるおそれがある。一方、画像形成装置２では、カラー画像に応じて、発光オブジェクトＵの印刷位置を変更するようにした。具体的には、画像形成装置２では、発光オブジェクトＵを、カラー画像のオブジェクトに重ねて印刷するようにした。これにより、発光オブジェクトＵを視認しにくくすることができるため、見栄えを良くすることができ、その結果、ユーザの利便性を高めることができる。
【０１０６】
また、画像形成装置２では、カラー画像にピクチャオブジェクトＰが含まれている場合には、発光オブジェクトＵをそのピクチャオブジェクトＰに重ねて印刷するようにしたので、ユーザの利便性を高めることができる。すなわち、ピクチャオブジェクトＰは、一般に、グラフィックオブジェクトＧやテキストオブジェクトＴに比べて、白地の部分が少ない。よって、発光オブジェクトＵがピクチャオブジェクトＰに重ねて印刷されている場合には、発光オブジェクトＵがグラフィックオブジェクトＧやテキストオブジェクトＴに重ねて印刷されている場合に比べて、発光オブジェクトＵを視認しにくくすることができる。その結果、画像形成装置２では、見栄えを良くすることができ、ユーザの利便性を高めることができる。
【０１０７】
また、画像形成装置２では、例えば複数のピクチャオブジェクトＰがある場合に、その複数のピクチャオブジェクトＰのうちの面積が一番大きいピクチャオブジェクトＰに、発光オブジェクトＵを重ねて印刷するようにしたので、ユーザの利便性を高めることができる。すなわち、発光オブジェクトＵが大きいピクチャオブジェクトＰに重ねて印刷されている場合には、発光オブジェクトＵが小さいピクチャオブジェクトＰに重ねて印刷されている場合に比べて、発光オブジェクトＵを視認しにくくすることができる。その結果、画像形成装置２では、見栄えを良くすることができ、ユーザの利便性を高めることができる。
【０１０８】
以上のように本実施の形態では、カラー画像に応じて、発光オブジェクトの印刷位置を変更するようにしたので、ユーザの利便性を高めることができる。
【０１０９】
また、本実施の形態では、カラー画像にピクチャオブジェクトが含まれている場合には、発光オブジェクトをそのピクチャオブジェクトに重ねて印刷するようにしたので、ユーザの利便性を高めることができる。
【０１１０】
また、本実施の形態では、例えば複数のピクチャオブジェクトがある場合に、その複数のピクチャオブジェクトのうちの面積が一番大きいピクチャオブジェクトに、発光オブジェクトを重ねて印刷するようにしたので、ユーザの利便性を高めることができる。
【０１１１】
その他の効果は、上記第１の実施の形態の場合と同様である。
【０１１２】
［変形例２−１］
上記実施の形態では、アプリケーションソフトウェア１０２が発光オブジェクトＵを含むコンテンツデータを生成するようにしたが、これに限定されるものではない。これに代えて、例えば、ユーザが、プリンタドライバ１１３の印刷設定画面を用いて、予め作成しておいた発光オブジェクトＵを選択してもよい。また、例えば、予め作成しておいた発光オブジェクトＵを、図１６に示したように、画像形成装置２Ａに記憶させておくようにしてもよい。この画像形成装置２Ａは、画像データ生成部７０Ａを有している。画像データ生成部７０Ａは、記憶部７６Ａを有している。記憶部７６Ａは、発光オブジェクトＵを記憶している。この構成では、印刷データ解析部７１の発光データ処理部７５は、記憶部７６Ａに記憶された発光オブジェクトＵを、印刷位置設定部７３が設定した印刷位置に配置することにより、中間コードを生成する。
【０１１３】
［変形例２−２］
上記実施の形態では、発光オブジェクトＵを、例えばピクチャオブジェクトＰに重ねて印刷するようにしたが、その際、ピクチャオブジェクトＰの大きさに応じて、発光オブジェクトＵの大きさを調節するようにしてもよい。具体的には、候補テーブル７７が、オブジェクトの印刷位置および面積についての情報に加え、そのオブジェクトの幅および高さについての情報をも有するようにしてもよい。そして、印刷位置設定部７３が、発光オブジェクトＵの印刷位置を設定する際、この候補テーブル７７および発光オブジェクトＵの大きさに応じて、発光オブジェクトＵを拡大または縮小させる割合を求めるようにしてもよい。
【０１１４】
［変形例２−３］
上記実施の形態では、候補テーブル７７は、複数のテキストオブジェクトＴのうちの、面積が一番大きいオブジェクトの印刷位置および面積と、複数のグラフィックオブジェクトＧのうちの、面積が一番大きいオブジェクトの印刷位置および面積と、複数のピクチャオブジェクトＰのうちの、面積が一番大きいオブジェクトの印刷位置および面積についての情報を有するようにしたが、これに限定されるものではない。これに代えて、オブジェクトの種別に応じて、候補テーブル７７に記録する条件を変更するようにしてもよい。具体的には、例えば、ピクチャオブジェクトＰおよびグラフィックオブジェクトＧについては、複数のオブジェクトのうちの面積が一番大きいオブジェクトの印刷位置および面積をそれぞれ記録し、テキストオブジェクトＴについては、複数のオブジェクトのうちの、面積が一番小さいオブジェクトの印刷位置および面積を記録してもよい。すなわち、例えば、発光オブジェクトＵをピクチャオブジェクトＰに重ねて印刷する場合には、面積が大きいピクチャオブジェクトＰに重ねて印刷する方が視認しにくく、発光オブジェクトＵをテキストオブジェクトＴに重ねて印刷する場合には、面積が小さいテキストオブジェクトＴに重ねて印刷する方が視認しにくいような場合には、このように構成することができる。
【０１１５】
以上、いくつかの実施の形態および変形例を挙げて本発明を説明したが、本発明はこれらの実施の形態等には限定されず、種々の変形が可能である。
【０１１６】
例えば、上記の各実施の形態では、本発明をプリンタに適用したが、これに限定されるものではなく、例えば、コピー機、ファクシミリ、スキャナなどの機能を有する、いわゆる多機能周辺装置（Multi Function Peripheral）に適用してもよい。
【０１１７】
また、例えば、上記の各実施の形態では、本発明をカラープリンタに適用したが、これに限定されるものではなく、例えば、黒色のトナーと発光トナーを用いて印刷を行う、モノクロプリンタに適用してもよい。
【０１１８】
また、例えば、上記の各実施の形態では、本発明を、電子写真方式を用いて画像を形成するプリンタに適用したが、これに限定されるものではなく、例えば、インクジェットプリンタなどの他の種類のプリンタに適用してもよい。
【符号の説明】
【０１１９】
１，２，２Ａ…画像形成装置、８…媒体カセット、９…記録媒体、１０…搬送路、１１…ホッピングローラ、１２…レジストローラ、１３…媒体センサ、１６，１６Ｋ，１６Ｙ，１６Ｍ，１６Ｃ，１６Ｕ…露光ヘッド、１７…媒体ガイド、１８…排出トレイ、２０，２０Ｋ，２０Ｙ，２０Ｍ，２０Ｃ，２０Ｕ…現像部、２１…感光ドラム、２２…帯電ローラ、２３…クリーニングブレード、２４…現像ローラ、２５…現像ブレード、２６…供給ローラ、２９，２９Ｋ，２９Ｙ，２９Ｍ，２９Ｃ，２９Ｕ…トナー収容部、３０…転写部、３１，３１Ｋ，３１Ｙ，３１Ｍ，３１Ｃ，３１Ｕ…転写ローラ、３２…転写ベルト、３３…駆動ローラ、３４…柔道ローラ、４０…定着部、４１…ヒートローラ、４２…ヒータ、４３…加圧ローラ、５１…通信部、５２…印刷位置設定部、５３…制御部、５５…印刷制御部、６０，７０，７０Ａ…画像データ生成部、６１，７１…印刷データ解析部、６２…タグ処理部、６３…記憶部、６４…ディスプレイリスト、６５，６５Ｋ，６５Ｙ，６５Ｍ，６５Ｃ，６５Ｕ…画像データ、６６…画像描画部、６７…カラー画像描画部、６８…発光画像描画部、７２…オブジェクト判別部、７３…印刷位置設定部、７４…カラーデータ処理部、７５…発光データ処理部、７６，７６Ａ…記憶部、７７…候補テーブル、７８…ディスプレイリスト、７９，７９Ｋ，７９Ｙ，７９Ｍ，７９Ｃ，７９Ｕ…画像データ、１００，１１０…ホストＰＣ（Personal Computer）、１０１…オペレーティングシステム、１０２，１１２…アプリケーションソフトウェア、１０３，１１３…プリンタドライバ、１０４，１１４…ユーザインタフェース部、１０５…プロパティ情報取得部、１０６，１１６…印刷データ生成部、ＤＰ…印刷データ、Ｇ…グラフィックオブジェクト、ＩＮＦ…プロパティ情報、Ｐ…ピクチャオブジェクト、ＰＯＳ…位置情報、Ｔ…テキストオブジェクト、ＴＡＧ…タグ、Ｕ…発光オブジェクト。
【図１】
2017080943.tif 000003
【図２】
2017080943.tif 000004
【図３】
2017080943.tif 000005
【図４】
2017080943.tif 000006
【図５】
2017080943.tif 000007
【図６】
2017080943.tif 000008
【図７】
2017080943.tif 000009
【図８Ａ】
2017080943.tif 000010
【図８Ｂ】
2017080943.tif 000011
【図９】
2017080943.tif 000012
【図１０】
2017080943.tif 000013
【図１１】
2017080943.tif 000014
【図１２Ａ】
2017080943.tif 000015
【図１２Ｂ】
2017080943.tif 000016
【図１３】
2017080943.tif 000017
【図１４】
2017080943.tif 000018
【図１５】
2017080943.tif 000019
【図１６】
2017080943.tif 000020